(57)【特許請求の範囲】
【請求項１】
２本の概略細長円筒状のガスボンベを片手で保持して運搬するためのガスボンベ運搬具であって、
互いに所定の間隔を置いて平行に上下方向に延びる一対の縦杆と、この縦杆の上端部間を接続するハンドルと、このハンドルと協働して一対の縦杆の平行を維持する支持杆とを含む枠体と、
それぞれ前記ボンベの底部を乗せ受ける円形又はリング状の底板部と、ボンベの底部付近の外周を包囲するように底板部の周縁から起立する環状の周壁部とを具備し、周壁部において前記一対の縦杆の対向方向と反対側である外側の下端部にそれぞれ固定される一対の底部支持部材と、
前記ボンベの上下方向の中間部を包囲するようにそれぞれ前記底部支持部材の上方に所定の間隔を置いて配置され、前記各縦杆の中間部の外側に固定される一対の環状支持部材と、
床上に起立配置された状態で前記底部支持部材を床面上に安定支持するように当該底部支持部材からそれぞれ下方へ延出して下端が床面上に接する複数の支持脚と、を具備することを特徴とするガスボンベ運搬具。
【請求項２】
前記底部支持部材の底板部の上面及び周壁部の上縁と、前記環状支持部材の上縁が、ゴムパッキングで被覆され、
前記支持脚の下端がゴムキャップで被覆されることを特徴とする請求項１に記載のガスボンベ運搬具。
【発明の詳細な説明】
【技術分野】
【０００１】
本発明は、医療用などに用いられるガスボンベを片手で２本ずつ吊り下げて運搬するためのガスボンベ運搬具に関する。
【背景技術】
【０００２】
従来、車軸の両端に車輪を回転可能に取付け、車軸に、酸素ボンベを起立状態で載置する載置台と、この載置部の両側に位置する牽引用の把手とを設け、載置台上に酸素ボンベを、この酸素ボンベの上下方向の中心線が車軸の軸心と交差する配置で取付けるようにした酸素ボンベ運搬用カートが特許文献１に提案されている。
【先行技術文献】
【特許文献】
【０００３】
【特許文献１】特開２００８−８７６２４号公報
【発明の概要】
【発明が解決しようとする課題】
【０００４】
上記従来の酸素ボンベ運搬用カートは、酸素を常時吸入する必要のある患者専用のものであって、作業者にとって過負荷とならない範囲でなるべく多くのボンベを運搬するための作業用の運搬具としては不適である。
したがって、本発明は、片方の手で２本ずつ、両手で合計４本のガスボンベを一度に運搬するのに適した軽量で簡易な運搬具を提供することを目的としている。
【課題を解決するための手段】
【０００５】
以下、添付図面の符号を参照して説明するが、本発明はこれに限定されるものではない。
上記課題を解決するための、本発明のガスボンベ運搬具１は、ハンドル７を持つ枠体２と、枠体２の下端部に支持されボンベＢの底部を乗せ受ける一対の底部支持部材３と、枠体２の上下方向の中間部に支持されボンベＢの中間部を包囲する一対の環状支持部材４と、底部支持部材３を床上に安定支持するために底部支持部材３に設けられる複数の支持脚５とを具備する。枠体２は、互いに所定の間隔を置いて平行に上下方向に延びる一対の縦杆６と、この縦杆６の上端部間を接続するハンドル７と、このハンドルと協働して一対の縦杆６の平行を維持する支持杆８とを含む。一対の底部支持部材３は、それぞれボンベＢの底部を乗せ受ける円形又はリング状の底板部９と、ボンベＢの底部付近の外周を包囲するように底板部９の周縁から起立する環状の周壁部１０とを具備し、周壁部１０において各縦杆６の下端部の外側（一対の縦杆６の対向方向と反対側）に固定される。一対の環状支持部材４は、ボンベＢの上下方向の中間部を包囲するように、それぞれ底部支持部材３の上方に所定の間隔を置いて配置され、各縦杆６の中間部の外側に固定される。複数の支持脚５は、底部支持部材３を床面上に安定支持するように、底部支持部材３からそれぞれ下方へ延出して下端が床面上に接するように設けられる。
望ましくは、底部支持部材３の底板部９の上面にはゴムシート１１が張られ、周壁部１０の上縁と、環状支持部材４の上縁は、ゴムパッキング１２，１３で被覆される。また支持脚５の下端部にはゴムキャップ１４が装着される。
【発明の効果】
【０００６】
本発明のガスボンベ運搬具１を用いて、２本のボンベＢを片手で運搬するとき、枠体２の一対の縦杆６の外側、すなわち一対の縦杆６の対向方向と反対側に、２本のボンベＢが前後に離れて支持されるため、運搬者の体側が２本のボンベＢの間に入ることになり、ボンベＢを体側から離して支える余分の力を必要とせず、楽な姿勢で、必要に応じて４本のボンベＢを一時に運搬することができる。運搬時以外は、ボンベＢの保管用スタンドとしても使用できる。
底部支持部材３の底板部９にゴムシート１１が張られ、それの周壁部１０の上縁と、環状支持部材４の上縁にゴムパッキング１２，１３が装着される場合には、ボンベＢの積み卸し時、あるいは運搬時に、ボンベＢと運搬具１との衝突音が生じることがないし、運搬時にボンベＢと障害物との直接の衝突による騒音や損傷も回避できる。また支持脚５の下端がゴムキャップ１４で被覆される場合には、ボンベＢを一層安定して床上に起立支持することができる。
【図面の簡単な説明】
【０００７】
【図１】本発明に係るガスボンベ運搬具の斜視図である。
【図２】図１のガスボンベ運搬具の正面図である。
【図３】図１のガスボンベ運搬具の側面図である。
【図４】図１のガスボンベ運搬具の平面図である。
【図５】図１のガスボンベ運搬具の底面図である。
【発明を実施するための形態】
【０００８】
図面を参照して本発明の実施の形態を説明する。
ガスボンベ運搬具１は、枠体２と、枠体２の下端部に支持されボンベＢの底部を乗せ受ける一対の底部支持部材３と、枠体２の上下方向の中間部に支持されボンベＢの中間部を包囲する一対の環状支持部材４と、底部支持部材３を床上に安定支持するための複数の支持脚５とを具備する。
【０００９】
枠体２は、互いに所定の間隔を置いて平行に上下方向に延びる一対の縦杆６と、この縦杆６の上端部間を接続するハンドル７と、このハンドルと協働して一対の縦杆６の平行を維持する支持杆８とを有する。図示の実施例において、縦杆６、ハンドル７及び支持杆８は、金属管材からなり、互いにボルト、ナットにより端部で結合され、矩形枠を形成している。ハンドル７には、柔軟なゴムカバーが巻かれている。ハンドル７は、平均的成人が腕を伸ばした状態で握ったとき、底部支持部材３が床上に所定高さ浮き上がる高さ位置に設けられる。底部支持部材３が床上に所定高さ浮き上がる高さは、階段昇降時に底部支持部材３が階段の蹴込み面に衝突しない高さが望ましい。
【００１０】
一対の底部支持部材３は、それぞれボンベのＢの底部を乗せ受けるリング状の底板部９と、ボンベＢの底部付近の外周を包囲するように底板部９の周縁から起立する環状の周壁部１０とを具備し、周壁部１０において、各縦杆６の下端部の外側、すなわち、一対の縦杆６の対向方向と反対側にボルト、ナットにより固定される。底板部９は、孔のない円板状であってもよい。底板部９の上面には、ゴムシート１１が張られる。また、周壁部１０の上縁には、断面ほぼコ字状のゴムパッキング１２が装着される。
【００１１】
一対の環状支持部材４は、ボンベＢの上下方向の中間部を包囲するように、それぞれ底部支持部材３の上方に所定の間隔を置いて配置され、各縦杆６の中間部の外側、すなわち、一対の縦杆６の対向方向と反対側にボルト、ナットにより固定される。環状支持部材４の上縁には、断面コ字状のゴムパッキング１３が装着される。
【００１２】
底部支持部材３を床面上に安定支持するように、複数の支持脚５が設けられる。支持脚５は、底板部９の下面からそれぞれ下方へ延出し、下端が床面上に接するように設けられる。支持脚５の下端には、ゴムキャップ１４が装着される。
【００１３】
ガスボンベ運搬具１を用いて、２本のボンベＢを片手で運搬するとき、枠体２により２本のボンベが前後に離れて支持される。このため、運搬者の体側が２本のガスボンベＢの間に入ることになり、ボンベＢを体側から離して支える余分の力を必要とせず、楽な姿勢で運搬することができる。必要に応じて、両手で４本のボンベを一時に運搬することができる。運搬時以外は、ボンベＢの保管用スタンドとしても使用できる。
【００１４】
底部支持部材３の底板部９にゴムシート１１が張られ、それの周壁部１０の上縁と、環状支持部材４の上縁にゴムパッキング１２，１３が装着される場合には、ボンベＢの積み卸し時、あるいは運搬時に、ボンベＢと運搬具１との衝突音が生じることがないし、運搬時にボンベＢと階段や壁のような障害物との直接の衝突による騒音や損傷も回避できる。また支持脚の下端がゴムキャップ１４で被覆される場合には、ボンベを一層安定して床上に起立支持することができる。
【符号の説明】
【００１５】
１      運搬具
２      枠体
３      底部支持部材
４      環状支持部材
５      支持脚
６      縦杆
７      ハンドル
８      支持杆
９      底板部
１０    周壁部
１１    ゴムシート
１２    ゴムパッキング
１３    ゴムパッキング
１４    ゴムキャップ１
Ｂ      ボンベ
【要約】
【課題】合計４本のガスボンベを両手で一度に運搬するのに適した軽量で簡易な運搬具を提供する。
【解決手段】運搬具１は、枠体２、一対の底部支持部材３、一対の環状支持部材４、支持脚５を具備する。枠体２は、平行一対の縦杆６と、その上端部間を接続するハンドル７と、これと協働して縦杆６の平行を維持する支持杆８とを含む。底部支持部材３は、枠体２の下端部に支持されボンベＢの底部を乗せ受ける。環状支持部材４は、枠体２の中間部に支持されボンベＢの中間部を包囲する。支持脚５は、底部支持部材３を床上に安定支持する。２本のボンベＢを片手で運搬するとき、枠体２により２本のボンベＢが前後に離れて支持されるため、運搬者の体側が２本のボンベＢの間に入り、余分の力を必要とせず、楽な姿勢で、４本のボンベＢを一時に運搬できる。運搬時以外は、ボンベＢの保管用スタンドとしても使用できる。
【選択図】図１【図１】
0005865982.tif 000002
【図２】
0005865982.tif 000003
【図３】
0005865982.tif 000004
【図４】
0005865982.tif 000005
【図５】
0005865982.tif 000006